(57)【要約】【課題】  スティック型掃除機のような吸込具の吸い込み口が下を向いて床や台と接するようにして立てて置くタイプの掃除機でも、埃・ゴミ吸引用掃除機として使える静電気クリーナー用除埃器を提供する。【解決手段】本発明の静電気クリーナー用除埃器は、静電気クリーナーを入れるための開口部（１）を持つ箱（２）と、前記箱の下部に取り付けられ、上面に開口した掃除機用吸い込み口（３）を持ち、その上に掃除機吸込具を設置でき、掃除機のスタンドとしても使える台（４）と、掃除機用吸い込み口の周辺部に置かれた柔軟性をもつ樹脂やゴムよりなるシール材（５）より構成される。箱（２）と台（４）と掃除機用吸い込み口（３）は仕切り板（６）で作られた通風路（７）により空間的に繋がっており、またスライド式掃除機用吸い込み口により掃除機用吸い込み口の位置を変えることができることを特徴とする。【選択図】図１
2010012453.tif 000002
【特許請求の範囲】
【請求項１】
静電気クリーナーを入れるための開口部（１）を持った箱（２）と、前記箱の下部に取り付けられ、上面に開口した掃除機用吸い込み口（３）を持った、掃除機の吸込具を設置でき、掃除機のスタンドとして使える台（４）より構成される静電気クリーナー用除埃器。
【請求項２】
箱（２）と台（４）と掃除機用吸い込み口（３）は仕切り板（６）で作られた通風路（７）により空間的に繋がっている請求項１記載の静電気クリーナー用除埃器。
【請求項３】
掃除機用吸い込み口（３）の外側周辺部には、掃除機吸込具と密着させ空気の漏れが無いようにするための、柔軟性をもつシール材（５）が設置されている請求項１記載の静電気クリーナー用除埃器。
【請求項４】
様々な掃除機吸込具の吸い込み口の位置に合わせることができるように、掃除機用吸い込み口（３）の位置を変えることができるスライド式掃除機用吸い込み口（８）をもつ請求項１記載の静電気クリーナー用除埃器。
【発明の詳細な説明】
【技術分野】
【０００１】  本発明は掃除機により箱の外部より空気を吸い込み、その空気の流れの中で静電気クリーナーを振り動かし埃・ゴミなどを振り落とすことにより、静電気クリーナーが吸着した埃・ゴミなどを周りに飛散させることなく、空気の流れに埃・ゴミなどをのせて掃除機により吸引・除去することができることを特徴とする静電気クリーナー用除埃器に関するものである。
【背景技術】
【０００２】  本発明は静電気クリーナー用除埃器に関するものであり、振り落された埃・ゴミなどを吸い込むための掃除機において、従来の掃除機は本体に対して横向きにホースや吸込用ノズルなどが付いていたが、別タイプの掃除機として縦型のスティック型掃除機があり、この掃除機は吸込具を下向きにして本体を立てて使用したり、保管したりする。
【発明の開示】
【発明が解決しようとする課題】
【０００３】  通常の掃除機は本体に対して横向きに吸込用ホースやノズルが付いており、そのまま除埃器の掃除機取り付け用パイプに接続できるが、別タイプのスティック型掃除機は吸込具の吸い込み口が下を向いて床や台と接するようにして立てて置くため、そこにホース等を接続することが難しく、静電気クリーナー用除埃器にそのままでは接続できなかった。本発明は以上の欠点を解決し、スティック型掃除機でも除埃器用掃除機として使えるようにすることを目的とする。
【課題を解決するための手段】
【０００４】  本発明の静電気クリーナー用除埃器は、静電気クリーナーを入れるための開口部（１）を持つ箱（２）と、前記箱の下部に取り付けられ、上面に開口した掃除機用吸い込み口（３）を持ち、その上に掃除機吸込具を設置でき、掃除機のスタンドとしても使える台（４）と、掃除機用吸い込み口の周辺部に置かれた柔軟性をもつ樹脂やゴムよりなるシール材（５）より構成される。【０００５】  前記箱と前記台と前記掃除機用吸い込み口は仕切り板（６）で作られた通風路（７）により空間的に繋がっており、前期箱内で静電気クリーナーより振り落とされた埃・ゴミなどは、通風路を通って掃除機に吸引される。【０００６】  前記掃除機用吸い込み口の周辺部には、前記台と掃除機吸込具とが密着し空気の漏れが無いようにするための、柔軟性をもつ樹脂やゴムよりなるシール材（５）が設置されている。【０００７】  様々な掃除機吸込具の吸い込み口の位置に合わせることができるように、掃除機用吸込み口の位置を変えることができるスライド式掃除機用吸い込み口が設置されても良い。
【発明の効果】
【０００８】  本発明の静電気クリーナー用除埃器を使うことにより、スティック型掃除機を静電気クリーナー用除埃器の台の上に置くだけで除埃器と接続することができ、スティック型掃除機を使って、通常屋外で行なわれていた静電気クリーナーを振って埃・ゴミなどを振り落とす作業が、室内の掃除をしている手元で、手軽に行なえるようになる。
【発明を実施するための最良の形態】
【０００９】  以下、本発明の実施の形態について説明する。
図１は本発明の透視斜視図である。静電気クリーナーを入れるための開口部（１）を持つ箱（２）と、箱の下部に取り付けられ、上面に開口した掃除機用吸い込み口（３）の上に掃除機吸込具を設置でき、掃除機のスタンドとしても使え、少なくとも通風路の部分が中空の台（４）と、掃除機用吸い込み口の周辺部に置かれた柔軟性をもつ樹脂やゴムよりなるシール材（５）より構成される。【００１０】  図２は本発明を上から見た図であり、シール材が台の上面全体に置かれているが、台と掃除機吸込具の間で空気が漏れなければ、部分的に置くだけでも良い。【００１１】  図３に示される実施例では、スティック型掃除機が台の上に設置されており、置くだけで掃除機用吸い込み口（３）と掃除機吸込具が接続される。【００１２】  図４および図５に示される実施例では、仕切り板による通風路の例が示され、また掃除機用吸い込み口（３）と掃除機吸込具の接続の様子が示されている。【００１３】  図６は図４および図５を正面から見た図であり、仕切り板が横一面に設けられているが、空気の通る通風路の形によっては、部分的に設けられても良い。【００１４】  図７に示される実施例では、スライド式掃除機用吸い込み口の一例が示してあり、スライドして吸い込み口の位置を変えることができれば、その形は矩形でなくても良く、スライド式掃除機用吸い込み口の下には通風路が設けられている。【００１５】図８は、図７を横から見た図であり、台は全体が中空でなくても良く、通風路の部分のみ中空であっても良い。【００１６】図９に示される実施例では、本発明においてスティック型掃除機だけではなく、従来型掃除機でも吸込具を立てて保管するタイプであれば、同様に使えることを示す。【００１７】  掃除機の電源としては、家庭用１００Ｖ、あるいは充電可能な２次電池あるいは乾電池からとる方法がある。【００１８】  本発明は以上のような構造であり、使い方は掃除機吸込具の吸い込み口を前記掃除機用吸い込み口（３）の上に置くように設置し、掃除機のスイッチをＯＮの吸引排気状態にしておき、埃・ゴミなど吸着した静電気クリーナーを開口部から箱内に入れ、振り動かして埃・ゴミなどを振り落とすことにより、離脱した埃・ゴミなどを掃除機により吸引することができる。【００１９】  なお、本発明は上述の実施の形態の一例に限定されるものでなく、本発明の要旨を逸脱しない範囲であれば種々の変更は可能である。
【図面の簡単な説明】
【００２０】
【図１】本発明の透視斜視図
【図２】本発明の平面図
【図３】本発明の掃除機設置時の透視斜視図
【図４】本発明の掃除機設置時の透視側面図
【図５】本発明の掃除機設置時の別形態の透視側面図
【図６】本発明の掃除機設置時の正面図
【図７】スライド式掃除機用吸い込み口の平面図
【図８】スライド式掃除機用吸い込み口の透視側面図
【図９】本発明の別形態の透視側面図
【符号の説明】
【００２１】１    開口部
２    箱
３    掃除機用吸い込み口
４    台
５    シール材
６    仕切り板
７    通風路
８    スライド式掃除機用吸い込み口
【図１】
2010012453.tif 000003
【図２】
2010012453.tif 000004
【図３】
2010012453.tif 000005
【図４】
2010012453.tif 000006
【図５】
2010012453.tif 000007
【図６】
2010012453.tif 000008
【図７】
2010012453.tif 000009
【図８】
2010012453.tif 000010
【図９】
2010012453.tif 000011